(57)【要約】【課題】内容物を箱詰めた後、重合フラップ片で閉蓋すると、二度と開蓋する虞のない段ボール箱を提供する。【解決手段】箱本体５を構成するための前面壁１，左側面壁２，後面壁３，右側面壁４の４つの面壁を折り曲げ可能に連設するとともに、上側フラップ蓋Ａ及び下側フラップ蓋Ｂを折畳み可能に設け、上側フラップ蓋Ａは、箱本体５の前面壁１及び後面壁３に折目線を介して連設される２つの重合フラップ片Ａ１，Ａ３と、箱本体５の左側面壁２及び右側面壁４に折目線を介して連設される内折フラップ片Ａ２，Ａ４を設け、重合フラップ片Ａ１の幅方向の両側縁部には一対の係止孔１２を設け、内折フラップ片Ａ２，Ａ４には係止フラップ１０，１１を設け、この係止フラップ１０，１１には重合フラップ片Ａ１の係止孔１２に挿入したとき抜け止め係止される係止部１０ｂ，１１ｂを設けたことを特徴とする。【選択図】  図１
0003148966.tif 000002
【実用新案登録請求の範囲】
【請求項１】
箱本体５を構成するための前面壁１，左側面壁２，後面壁３，右側面壁４の４つの面壁を折り曲げ可能に連設し、さらに前記４つの各面壁の上下には開閉可能な上側フラップ蓋Ａ及び下側フラップ蓋Ｂを折畳み可能に設け、
前記上側フラップ蓋Ａは、箱本体５の前面壁１及び後面壁３に折目線ｉ，ｋを介して連設される２つの重合フラップ片Ａ１，Ａ３と、箱本体５の左側面壁２及び右側面壁４に折目線ｊ，ｌを介して連設される内折フラップ片Ａ２，Ａ４との、合計４枚のフラップ片で構成し、
前記一方の重合フラップ片Ａ１の幅方向の両側縁部には一対の係止孔１２を設けるとともに先端部に挿入片１３を設け、他方の重合フラップ片Ａ３の折目線ｋには前記挿入片１３が挿入される挿入孔１４を設け、
前記内折フラップ片Ａ２，Ａ４には、その折目線ｊ，ｌを基端部とする係止フラップ１０，１１を設け、この係止フラップ１０，１１には前記重合フラップ片Ａ１の係止孔１２に挿入したとき抜け止め係止される係止部１０ｂ，１１ｂを設けたことを特徴とする段ボール箱。
【請求項２】
前記内折フラップ片Ａ２、Ａ４の係止部１０ｂ，１１ｂは、両側部に前記重合フラップ片Ａ１の係止孔１２の両端部に抜け止め係止される係止爪１０ａ、１１ａを有することを特徴とする請求項１記載の段ボール箱。
【請求項３】
前記重合フラップ片Ａ１の係止孔１２は、該重合フラップ片Ａ１の両側外方に向かって突出する円弧状であることを特徴とする請求項１記載の段ボール箱。
【考案の詳細な説明】
【技術分野】
【０００１】
本考案は、例えば、機密文書等を収容し、閉蓋することにより、その蓋が二度と開かないようにした段ボール箱に関する。
【背景技術】
【０００２】
例えば、機密文書等を収容する段ボール箱は、特許文献１等で知られている。一般的な段ボール箱は、図７及び図８に示すように、折畳み可能な箱本体５を備え、この箱本体５に上下端開口部を閉塞するフラップ蓋Ａ，Ｂが設けられている。
【０００３】
このフラップ蓋Ａ，Ｂのうち、上側フラップ蓋Ａは、箱本体５の左側面壁２及び右側面壁４に折目線を介して連設される短寸方形状の内折フラップ片Ａ２，Ａ４と、箱本体５の前面壁１及び後面壁３に折目線を介して連設される長寸方形状の重合フラップ片Ａ１，Ａ３との４枚フラップ片で構成されている。
【０００４】
さらに、一方の重合フラップ片Ａ１の先端部には折目線を介して挿入片１３が設けられ、他方の重合フラップ片Ａ３と後面壁３と結合部には折目線に沿って挿入孔１４が設けられている。そして、一方の重合フラップ片Ａ１を他方の重合フラップ片Ａ３に重ねた状態で、挿入片１３を挿入孔１４に挿入して閉蓋するようになっている。
【０００５】
すなわち、上側フラップ蓋Ａは内容物（機密文書等）が満杯となった場合は、最後の蓋閉じ時作業として、内折フラップ片Ａ２，Ａ４を内方に折り曲げ、その外側に重合フラップ片Ａ１，Ａ３を折曲重合させて閉蓋される。
【特許文献１】実用新案登録第３１０７１７０号公報
【考案の開示】
【考案が解決しようとする課題】
【０００６】
しかし、図７及び図８に示す従来の段ボール箱の重合フラップ片Ａ１は、一方の重合フラップ片Ａ１を他方の重合フラップ片Ａ３に重ねた状態で、挿入片１３を挿入孔１４に挿入して閉蓋するだけである。したがって、重合フラップ片Ａ１を閉蓋した状態であっても、重合フラップ片Ａ１と左側面壁２及び右側面壁４の上端縁部との間に隙間Ｇができてしまい、隙間Ｇから内部の機密文書等の一部が露出してしまうという問題がある。このため、輸送、取り扱い時に開蓋してしまう虞があり、最終的に重合フラップ片Ａ１と左側面壁２及び右側面壁４を粘着テープ等で閉塞する必要がある。
【０００７】
本考案は、前記事情に着目してなされたもので、その目的とするところは、内容物を箱詰めた後、重合フラップ片で閉蓋すると、係止孔に係止部が係止してロック状態となり、二度と開蓋する虞のない段ボール箱を提供することにある。
【課題を解決するための手段】
【０００８】
本考案の請求項１は、箱本体５を構成するための前面壁１，左側面壁２，後面壁３，右側面壁４の４つの面壁を折り曲げ可能に連設し、さらに前記４つの各面壁の上下には開閉可能な上側フラップ蓋Ａ及び下側フラップ蓋Ｂを折畳み可能に設け、
前記上側フラップ蓋Ａは、箱本体５の前面壁１及び後面壁３に折目線ｉ，ｋを介して連設される２つの重合フラップ片Ａ１，Ａ３と、箱本体５の左側面壁２及び右側面壁４に折目線ｊ，ｌを介して連設される内折フラップ片Ａ２，Ａ４との、合計４枚のフラップ片で構成し、
前記一方の重合フラップ片Ａ１の幅方向の両側縁部には一対の係止孔１２を設けるとともに先端部に挿入片１３を設け、他方の重合フラップ片Ａ３の折目線ｋには前記挿入片１３が挿入される挿入孔１４を設け、
前記内折フラップ片Ａ２，Ａ４には、その折目線ｊ，ｌを基端部とする係止フラップ１０，１１を設け、この係止フラップ１０，１１には前記重合フラップ片Ａ１の係止孔１２に挿入したとき抜け止め係止される係止部１０ｂ，１１ｂを設けたことを特徴とする段ボール箱にある。
【０００９】
請求項２は、請求項１の前記内折フラップ片Ａ２、Ａ４の係止部１０ｂ，１１ｂは、両側部に前記重合フラップ片Ａ１の係止孔１２の両端部に抜け止め係止される係止爪１０ａ、１１ａを有することを特徴とする。
【００１０】
請求項３は、請求項１の前記重合フラップ片Ａ１の係止孔１２は、該重合フラップ片Ａ１の両側外方に向かって突出する円弧状であることを特徴とする。
【考案の効果】
【００１１】
本考案の構成によれば、段ボール箱の上側フラップ蓋の重合フラップ片で閉蓋すると、係止フラップが係止孔に係止して二度と開蓋できない状態にロックされる。したがって、内部に機密文書等を収容して溶解処理する場合においても、輸送中や取り扱い時に開蓋の虞はなく、また係止フラップを係止孔に挿入するだけで簡単に係止されるという効果がある。
【考案を実施するための最良の形態】
【００１２】
以下、本考案の実施の形態を図面に基いて説明する。  
図１〜図４に示すように、段ボール箱は、前面壁１と左側面壁２と後面壁３と右側面壁４とを縦方向の折目線ａ，ｂ，ｃを介して連設し、前面壁１に折目線ｄを介して連設される糊付片１ａを右側面壁４の遊端側内面糊付部４ａに接着した構成の菱形扁平に折畳み可能な箱本体５を備え、この箱本体５に該箱本体の上下端開口部を閉塞するフラップ蓋Ａ，Ｂを設けている。
【００１３】
この上下フラップ蓋Ａ，Ｂの一方のフラップ蓋の下側のフラップ蓋Ｂは、箱本体５の前面壁１及び後面壁３に折目線ｅ，ｇを介して連設される掛合フラップ片６，７と、左側面壁２及び右側面壁４に折目線ｆ，ｈを介して連設される貼着フラップ片８，９との４枚のフラップ片で構成されている。一方の掛合フラップ片７の側面壁側７ｄは、折目線ｇの左端から先端中央部に向けて滑らかな円弧状に形成されている。
【００１４】
前記掛合フラップ片６と掛合フラップ片７には、その先端縁中央部に位置して互いに掛合可能なフラップ片掛止め用の切欠部６ａ（６Ａ），７ａ（７Ａ）が設けられている。この切欠き部は、この掛合フラップ片６，７の先端縁からほぼ直角に内側に切り込んだ状態の直状切り線ｒと、この直状切り線ｒの内側先端から、掛合フラップ片６，７の外側先端縁に向けて約４５度の角度を開けて設けた傾斜切り線ｔで画定されるレ字形の切欠部６Ａ、７Ａで、その外形はほぼ直角三角形である。
【００１５】
掛合フラップ片６，７には、折目線ｅ，ｇの一端とフラップ片６，７の一側縁６ｂ，７ｂの基端とがなす各コーナー部Ｐと、掛合フラップ片６，７の先端手前まであるレ形状切欠部６Ａ，７Ａの頂部との間に傾斜折目線ｍ，ｎが前記フラップ片の折目線ｅ，ｇに対してほぼ４５度の傾斜角度で設けられている。
【００１６】
この傾斜折目線ｍ、ｎとフラップ片一側縁６ｂ，７ｂとで挟まれた領域、つまり傾斜折目線ｍ，ｎと、フラップ片一側縁６ｂ，７ｂと、傾斜折目線ｍ，ｎの先端から掛合フラップ片一側縁６，７の延長線方向に向けた線で囲まれた部分は貼着舌片部６ｃ，７ｃとなっている。この貼着舌片部６ｃ，７ｃの内面には左右両側の面壁と連なっている貼着フラップ８，９の外面部が接着される。
【００１７】
また、掛合フラップ片６，７に設けたレ字状の切欠部６ａ（６Ａ），７ａ（７Ａ）を互いに対向する粘着フラップ８，９の先端部に掛合して、左側面壁２及び右側面壁４が、前面壁１及び後面壁３に対してほぼ直角に箱組できる位置関係をもって接着して段ボール箱を構成するようにするものである。
【００１８】
前記掛合フラップ片６の切欠部６ａと前記掛合フラップ片７の切欠部７ａを、掛合フラップ片６，７の先端縁からほぼ直角に切込んだ直状切り線ｒ（ほぼ４ｃｍ位の切込み深さを有する）と掛合フラップ片６，７の先端縁から直状切り線ｒの内端に達するようにほぼ４５度の傾斜角度で切込んだ傾斜切り線ｔとで画定されるレ形状切欠部６Ａ，７Ａで形成する。
【００１９】
掛合フラップ片６，７のレ形状切欠部６Ａ，７Ａはフラップ蓋Ｂを閉じると互いに掛合する。さらに、掛合フラップ片６，７には、レ形状切欠部６Ａ，７Ａの直状切り線ｒ側の角部がせり上がり抑止片１６，１７が形成されている。
【００２０】
つまり、掛合フラップ片６，７の前記傾斜折目線ｍ，ｎの延長線ｍ´，ｎ´と、前記直状切り線ｒと、掛合フラップ片６，７の端縁とで囲まれる部分がせり上がり抑止片１６，１７に形成されている。
【００２１】
なお、掛合フラップ片６，７の幅寸法が大きくなった場合、せり上がり抑止片１６，１７を画定する一辺は傾斜折目線ｍ，ｎの延長線ｍ´，ｎ´からずれてくる。したがって、その場合、せり上がり抑止片１６，１７は直状切り線ｒと、掛合フラップ片６，７の端縁とで囲まれる部分となる。
【００２２】
このように、掛合フラップ片６，７にレ形状切欠部６Ａ，７Ａを形成し、レ形状切欠部６Ａ，７Ａの直状切り線ｒ側の角部をせり上がり抑止片１６，１７としたものである。そのため、掛合フラップ片６，７の互いのレ形状切欠部６Ａ，７Ａを掛合させたとき、せり上がり抑止片１６，１７はそれぞれの掛合相手の掛合フラップ６，７の内面に掛合することになる。
【００２３】
これによって、せり上がり抑止片１６，１７は、フラップ蓋Ｂを内方へ押込んだときに、それぞれ相手側の掛合フラップ片６，７に掛合してフラップ蓋Ｂの開蓋を阻止する閉蓋ストッパとして作用するように構成されている。
【００２４】
また、一方のフラップ片７の側面壁側７を、折目線ｇから先端中央部に向けて滑らかな円弧状に形成している点においても特徴を有するものである。これによってフラップ片の組立てを迅速に行うことができるものである。
【００２５】
次に、上側のフラップ蓋Ａについて説明すると、箱本体５の前面壁１及び後面壁３に折目線ｉ，ｋを介して連設される箱本体５の左側面壁２及び右側面壁４に折目線ｊ，ｌを介して連設される短寸方形状の内折フラップ片Ａ２，Ａ４と、箱本体５の前面壁１及び後面壁３に折目線ｉ，ｋを介して連設される長寸方形状の重合フラップ片Ａ１，Ａ３との４枚のフラップ片で構成されている。
【００２６】
内折フラップ片Ａ２，Ａ４について説明すると、先端部は内折り時に隣接する重合フラップ片Ａ３と干渉しないように円弧状部２ａ，４ａが形成されている。さらに、内折フラップ片Ａ２，Ａ４の幅方向の中央部には折目線ｊ，ｌを基端部とする係止フラップ１０，１１が切込みによって形成されている。係止フラップ１０，１１は基端部より先端部が幅広く形成されたほぼＴ字形状で、両肩部に抜け止め用の係止爪１０ａ、１１ａを有する係止部１０ｂ，１１ｂが設けられている。さらに、係止フラップ１０，１１は基端部には係止部１０ｂ，１１ｂを後述する係止孔１２に挿入しやすくするように横方向に折目線ｓが設けられている。
【００２７】
次に、一方の重合フラップ片Ａ１について説明すると、重合フラップ片Ａ１は内折フラップ片Ａ２，Ａ４の幅と同一長さに形成され、中間部には折目線ｉと平行に折目線uが設けられている。さらに、重合フラップ片Ａ１の両側縁部には折目線ｉを中間として重合フラップ片Ａ１の長さ方向に延長する一対の係止孔１２が設けられている。この係止孔１２は内折フラップ片Ａ２，Ａ４の係止部１０ｂ，１１ｂが挿入しやすいように円弧状に形成され、その幅長は係止部１０ｂ，１１ｂの幅長とほぼ同一で、係止爪１０ａ、１１ａが係止孔１２の両端縁部に係止して抜け止めされるようになっている。すなわち、係止部１０ｂ，１１ｂを係止孔１２にいったん挿入すると、係止爪１０ａ、１１ａが係止孔１２の両端縁部に係止して係止部１０ｂ，１１ｂが抜けないようになっている。
【００２８】
さらに、一方の重合フラップ片Ａ１の先端部には折目線vを介して挿入片１３が設けられ、他方の重合フラップ片Ａ３と後面壁３と結合部には折目線ｋに沿って挿入孔１４が設けられている。そして、一方の重合フラップ片Ａ１を他方の重合フラップ片Ａ３に重ねた状態で、挿入片１３を挿入孔１４に挿入できるようになっている。
【００２９】
次に、段ボール箱に例えば機密文書等の書類を収納した後、上側のフラップ蓋Ａを閉蓋する手順について説明する。図５に示すように、まず、重合フラップ片Ａ３を折目線ｋから箱本体５の内側に折り込むとともに、内折フラップ片Ａ２，Ａ４を折目線ｊ，lから箱本体５の内側に折り込むと、係止フラップ１０，１１は左側面壁２及び右側面壁４の面延長方向に起立する。
【００３０】
次に、重合フラップ片Ａ１を折目線ｉから箱本体５の開口を塞ぐように内側に折り込み、挿入片１３を挿入孔１４に挿入すると、重合フラップ片Ａ１は重合フラップ片Ａ３及び内折フラップ片Ａ２，Ａ４の上面に重なる。次に、係止フラップ１０，１１を折目線ｊ，ｌを支点として重合フラップ片Ａ１の上面に重ねる。さらに、係止フラップ１０，１１を折目線ｓを支点として下側に折りながら係止部１０ｂ，１１ｂを係止孔１２に挿入する。
【００３１】
係止部１０ｂ，１１ｂが係止孔１２に挿入されると、図６に示すように、係止爪１０ａ、１１ａが係止孔１２の両端縁部に係止して係止部１０ｂ，１１ｂが抜けない状態となり、重合フラップ片Ａ１は左側面壁２と後面壁３と右側面壁４の上端縁部に隙間なく密着し、粘着テープ等を用いることなく、段ボール箱は上側のフラップ蓋Ａを閉蓋される。つまり、重合フラップ片Ａ１をいったん閉蓋すると、二度と開蓋できない状態にロックされる。
【００３２】
したがって、例えば機密文書等の書類を収納した段ボール箱が輸送、取り扱い時に開蓋することはなく、段ボール箱とともに機密文書等の書類を溶解処理することができる。
【００３３】
なお、本考案は前記実施形態そのままに限定されるものではなく、実施段階ではその要旨を逸脱しない範囲で構成要素を変形して具体化できる。また、前記実施形態に開示されている複数の構成要素の適宜な組合せを行っても良い。
【図面の簡単な説明】
【００３４】
【図１】本考案の第１の実施形態に係る段ボール箱の展開平面図。
【図２】同段ボール箱を、箱本体の糊付片を右側面壁の糊付部から剥離し、左側面壁と後面壁を直状に伸展させた状態で示した横断平面図。
【図３】同段ボール箱の組立状態の横断平面図であって、（ａ）は前面壁及び左側面壁側の掛合フラップ片及び貼着フラップ片を実線で示し、後面壁及び右側面壁側の掛合フラップ片及び貼着フラップ片を想像線で示した横断平面図、（ｂ）は掛合フラップ片の掛合状態を箱本体の内面側から見た横断平面図。
【図４】図３（ｂ）の状態を下側から見た箱組立状態の底面図。
【図５】同段ボール箱の閉蓋手順を示す斜視図。
【図６】同段ボール箱の閉蓋状態を示す斜視図。
【図７】従来の段ボール箱の閉蓋手順を示す斜視図。
【図８】従来の段ボール箱の閉蓋状態を示す斜視図。
【符号の説明】
【００３５】
１…前面壁、２…左側面壁、３…後面壁、４…右側面壁、５…箱本体、Ａ，Ｂ…上下のフラップ蓋、１０、１１…係止フラップ、１０ａ，１１ａ…係止爪、１０ｂ，１１ｂ…係止部、１２…係止孔、１３…挿入片、１４…挿入孔
【図１】
0003148966.tif 000003
【図２】
0003148966.tif 000004
【図３】
0003148966.tif 000005
【図４】
0003148966.tif 000006
【図５】
0003148966.tif 000007
【図６】
0003148966.tif 000008
【図７】
0003148966.tif 000009
【図８】
0003148966.tif 000010